(57)【要約】      （修正有）【課題】原稿を原稿ガラス上に給送する流し取り方式の画像読取装置における、読取ガラス上に落下した紙粉等の掃き取り効果が得られる画像読取装置を提供する。【解決手段】読取ガラス３１の画像読み取り位置Ｒよりも原稿シート搬送方向上流側には、読取ガラス３１の上に段差シート１８ａが配置されて段差部１８が形成される。読取前ローラ対１６により読取ガラス３１上に搬送された原稿シートＤは、段差部１８の段差シート１８ａの上面を搬送され、原稿シートＤの後端以外は読取ガラス３１に接触することなく画像読み取り位置Ｒを通過し、汚すことがない。原稿シートＤから落下した紙粉等は読取ガラス３１の段差部１８付近に滞留するが、原稿シートＤの後端は読取ガラス３１に接触して搬送されるため、読取ガラス３１の上の段差部１８付近に滞留した紙粉等は、原稿シートＤの後端で掃き取られる。【選択図】図２
2008301170.tif 000002
【特許請求の範囲】
【請求項１】
原稿ガラスと、原稿ガラスの下側に配置された走査光学系とを備え、前記原稿ガラス上を所定速度で搬送される原稿シート上の画像を、所定の読取り位置に設定された前記走査光学系で読み取る流し取り方式の画像読取装置において、
前記所定の読取り位置よりも原稿シート搬送方向上流側に配置された原稿シート搬送手段に、原稿シートを加熱する加熱手段が装着されていること
を特徴とする画像読取装置。
【請求項２】
前記加熱手段は、原稿シートを所定の読取り位置に搬送するレジストローラの内部に組み込まれたヒータであること
を特徴とする請求項１に記載の画像読取装置。
【請求項３】
前記加熱手段は、原稿シートを所定の読取り位置に搬送するガイド板に装着された面状のヒータであること
を特徴とする請求項１に記載の画像読取装置。
【請求項４】
前記加熱手段は、処理すべき最大サイズの原稿シートの幅以上の幅を備えた加熱手段であること
を特徴とする請求項１乃至３のいずれかに記載の画像読取装置。
【請求項５】
前記加熱手段は、複数の加熱手段を配列して処理すべき最大サイズの原稿シートの幅以上の幅を備えた加熱手段であって、前記複数の加熱手段から処理すべき原稿シートの幅に対応した加熱手段が選択可能に構成されていること
を特徴とする請求項１乃至４のいずれかに記載の画像読取装置。
【請求項６】
前記加熱手段は、原稿シートの画像読取を行う面のみを加熱する加熱手段であること
を特徴とする請求項１乃至４のいずれかに記載の画像読取装置。
【請求項７】
前記原稿ガラスは、前記所定の読取り位置よりも原稿シート搬送方向上流側に所定の高さの段差が形成され、原稿シート搬送手段により搬送される原稿シートは、前記段差の上を通過して所定の読取り位置に搬送されること
を特徴とする請求項１に記載の画像読取装置。
【発明の詳細な説明】
【技術分野】
【０００１】
この発明は、電子複写機やその複合機などに付設される画像読取装置に関し、特に自動的に原稿を原稿ガラス上に給送する流し取り方式の画像読取装置に関する。
【背景技術】
【０００２】
近年、電子複写機やその複合機などの画像形成装置においては、自動的に原稿シートを原稿ガラス上に給送する自動原稿給送装置（ＡＤＦ）が付設されるようになった。自動原稿給送装置には、各種のものがあるが、原稿ガラスの下側の画像読取位置にＣＣＤセンサを固定配置し、原稿ガラスの上側に給送される原稿シートを移動しながら読み取る流し取り方式の画像読取装置が広く使用されている。
【０００３】
このような流し取り方式の画像読取装置では、低温の環境から暖かい室内に移動したときなど環境温度の変化に伴ない、画像読取装置の原稿ガラスに結露を生じる場合があり、この対策として原稿ガラスを加熱するなどの方法が提案されている（特許文献１、特許文献２参照）。
【特許文献１】特開２００５−９９１００号公報
【特許文献２】特開２００５−２５２８９４号公報
【発明の開示】
【発明が解決しようとする課題】
【０００４】
画像読取装置の原稿ガラスの上に、汚れや紙粉等の異物が付着すると画像を読み取ることができず、読み取った画像に筋状の画像ノイズが入り、画像品質を低下させる結果となる。紙粉等の異物が原稿ガラスの上に落ちたとき、搬送される原稿シートで掃き取る方法が知られているが、この方法では、原稿シートの含水率が高い状態では、原稿シートから落ちる紙粉等も水分を多く含んでいるから、前記した原稿ガラスを加熱する方法でも十分に紙粉等を排除できず、紙粉等が原稿ガラスの上に落ちると搬送される原稿シートで掃き取りにくいという不都合があった。この発明は上記した課題を解決することを目的とするものである。
【課題を解決するための手段】
【０００５】
この発明は上記課題を解決するもので、請求項１の発明は、原稿ガラスと、原稿ガラスの下側に配置された走査光学系とを備え、前記原稿ガラス上を所定速度で搬送される原稿シート上の画像を、所定の読取り位置に設定された前記走査光学系で読み取る流し取り方式の画像読取装置において、前記所定の読取り位置よりも原稿シート搬送方向上流側に配置された原稿シート搬送手段に、原稿シートを加熱する加熱手段が装着されていることを特徴とする画像読取装置である。
【０００６】
そして、前記加熱手段は、原稿シートを所定の読取り位置に搬送するレジストローラの内部に組み込まれたヒータとすることができる。
【０００７】
また、前記加熱手段は、原稿シートを所定の読取り位置に搬送するガイド板に装着された面状のヒータとすることができる。
【０００８】
また、前記加熱手段は、処理すべき最大サイズの原稿シートの幅以上の幅を備えた加熱手段である。
【０００９】
また、前記加熱手段は、複数の加熱手段を配列して処理すべき最大サイズの原稿シートの幅以上の幅を備えた加熱手段であって、前記複数の加熱手段から処理すべき原稿シートの幅に対応した加熱手段が選択可能に構成することができる。
【００１０】
そして、前記加熱手段は、原稿シートの画像読取を行う面のみを加熱する加熱手段である。
【００１１】
さらに、前記原稿ガラスは、前記所定の読取り位置よりも原稿シート搬送方向上流側に所定の高さの段差が形成され、原稿シート搬送手段により搬送される原稿シートは、前記段差の上を通過して所定の読取り位置に搬送されるものとする。
【発明の効果】
【００１２】
この発明は、原稿ガラスと、原稿ガラスの下側に配置された走査光学系とを備え、前記原稿ガラス上を所定速度で搬送される原稿シート上の画像を、所定の読取り位置に設定された前記走査光学系で読み取る流し取り方式の画像読取装置において、前記所定の読取り位置よりも原稿シート搬送方向上流側に配置された原稿シート搬送手段に、原稿シートを加熱する加熱手段が装着されていることを特徴とする画像読取装置である。
【００１３】
画像読取位置より原稿シート搬送方向上流側に配置された原稿シート搬送手段に加熱手段が装着されているから、原稿シートから紙粉等の異物が原稿ガラスの上に落ちても、加熱により紙粉等の含水率が低く、さらさらの状態にある。これにより搬送される原稿シートにより原稿ガラス上の紙粉等を容易に掃き取ることができる。
【発明を実施するための最良の形態】
【００１４】
図１は、この発明の実施の形態の画像読取装置１０の構成の概略を説明する断面図である。画像読取装置１０は、原稿シート搬送部１０Ａと画像読取部１０Ｂとから構成され、画像読取部１０Ｂの上に敷かれたマット２９の上に、原稿シート搬送部１０Ａが載置される。
【００１５】
原稿シート搬送部１０Ａは、給紙トレイ１１の原稿シート搬送方向（矢印ａ方向）の先に、ピックアップローラ１２が配置されており、その先には給紙ローラ１３と捌きローラ１４とが接触配置されている。接触配置された給紙ローラ１３と捌きローラ１４の、原稿シート搬送方向下流側には、搬送経路に沿ってレジストローラ対１５、読取前ローラ対１６、読取前センサ１７が配置されており、その先には、画像読取部１０Ｂの読取ガラス３１が配置されている。
【００１６】
また、読取ガラス３１の上には段差シート１８ａが配置されて段差部１８が形成され、読取ガラス３１の原稿シート搬送方向下流側には、すくい上げガイド１９、読取後ローラ対２０、排紙ローラ対２１、排紙トレイ２２が配置されている。段差部１８については後で詳細に説明する。
【００１７】
画像読取部１０Ｂは、読取ガラス３１と手置き原稿シート読取ガラス３２、読取ガラス３１、３２の下に配置された走査光学系３５から構成され、走査光学系３５は、露光ランプ３６、第１ミラー３７、第２ミラー３８、第３ミラー３９、結像レンズ４０、ＣＣＤセンサ４１から構成されている。
【００１８】
図示しない画像形成装置の制御装置から出力された給紙指令に応じて、ピックアップローラ１２が給紙トレイ１１上に載置された原稿シートＤに接触して、原稿シートＤは給紙ローラ１３と捌きローラ１４とに向けて搬送され、ここで１枚づつに捌かれた原稿シートＤの先端はレジストローラ対１５のニップ部に当接して原稿シートＤの傾きが補正された後、読取前ローラ対１６により画像読取部１０Ｂの読取ガラス３１の上に搬送される。
【００１９】
読取ガラス３１上の原稿シートＤは原稿シート搬送方向である矢印ａ方向に搬送移動されるが、この原稿シートＤの移動中に、画像読取部１０Ｂの走査光学系３５は、原稿シート搬送部１０Ａの読取前センサ１７から出力された原稿シートＤの先端及び後端の検出信号とのタイミングをとって原稿シートＤ上の画像を読み取る。
【００２０】
画像の読み取りが終了した原稿シートＤは、すくい上げガイド１９、読取後ローラ対２０、排紙ローラ対２１を経て紙トレイ２２に排出される。
【００２１】
原稿シート搬送部１０Ａには複数の実施の形態がある。以下、順次説明する。
【００２２】
［第１の実施の形態］
図２は、第１の実施の形態の原稿シート搬送部と読取ガラス３１周辺の構成を説明する拡大断面図、図３はその動作状態を説明する図で、図３（ａ）は原稿シートＤが搬送される状態を示し、図３（ｂ）は読取ガラス上の紙粉等が原稿シートＤの後端により掃き取られる状態を示している。
【００２３】
図２及び図３において、読取ガラス３１の位置Ｒは、走査光学系３５による画像読み取り位置を示す。読取ガラス３１の画像読み取り位置Ｒよりも原稿シート搬送方向上流側には、読取ガラス３１の上に段差シート１８ａが配置されて段差部１８が形成される。
【００２４】
図３（ａ）を参照して原稿シートＤが搬送される状態を説明する。読取前ローラ対１６により読取ガラス３１上に搬送された原稿シートＤは、段差部１８の段差シート１８ａの上面を搬送されるから、原稿シートＤの後端以外は読取ガラス３１に接触することなく画像読み取り位置Ｒを通過する。
【００２５】
これにより、原稿シートＤ上に、乾燥していないインキや修正液、テープや糊などの粘着物が付着していても、読取ガラス３１の画像読み取り位置Ｒを汚すことがなく、画像を読み取ることができる。そして、原稿シートＤから落下した紙粉や非粘着物等（以下、紙粉等）の非粘着物性の紙粉等Ｚは読取ガラス３１の段差部１８付近に滞留する。
【００２６】
原稿シートＤの後端が段差シート１８ａを通過すると、図３（ｂ）に示すように、原稿シートＤの後端は読取ガラス３１に接触して搬送されるため、読取ガラス３１の上の段差部１８付近に滞留した非粘着物性の紙粉等Ｚは、原稿シートＤの後端で掃き取られることになる。
【００２７】
［第２の実施の形態］
図４は、第２の実施の形態の原稿シート搬送部の読取ガラス周辺の構成を説明する拡大断面図、図５は第２の実施の形態のヒータを内蔵したレジストローラの構成を説明する斜視図である。
【００２８】
図４に示す第２の実施の形態の原稿シート搬送部１０Ａは、第１の実施の形態の原稿シート搬送部１０Ａのレジストローラ対１５を内部にヒータを内蔵したヒータ付きレジストローラ１５ａと通常のレジストローラ１５ｂとで構成したものである。その他の構成は第１の実施の形態の構成と変わらないので、同一部材には同一符号を付して詳細な説明は省略する。
【００２９】
図５を参照してヒータ付きレジストローラ１５ａの構成を説明する。ヒータ付きレジストローラ１５ａは両端はベアリング１５ａ１、１５ａ２で回転自在に支承され、内部にハロゲンランプ等のヒータランプ１５ａ３が配置され、図示しない温度制御装置を介してヒータランプ１５ａ３に通電し、レジストローラの表面を所定の温度に維持するように構成されている。
【００３０】
図４に示すように、ヒータ付きレジストローラ１５ａを原稿シートＤの表面が接触する側に配置することで、原稿シートＤの表面を加熱して表面の水分を蒸発させ、含水率を低下させる。
【００３１】
含水率の低い原稿シートＤから発生した紙粉は水分が少ないため、読取ガラス３１上に落下した紙粉等はさらさらしている。従って、前記した第１の実施の形態の場合と同様に、読取ガラス３１上に落下した紙粉等Ｚは原稿シートＤの後端が段差部１８を通過するとき、原稿シートＤの後端で容易に掃き取ることができる（図３（ｂ）参照）。
【００３２】
前記した第１の実施の形態では、原稿シートＤの含水率が高いと、読取ガラス３１上に落下した紙粉も含水率が高いため、原稿シートＤの後端で掃き取ることができない場合があるが、第２の実施の形態では原稿シートＤの表面を加熱して表面の水分を蒸発させ、含水率を低下させるので、発生する紙粉も水分が少なくなり、原稿シートＤの後端で容易に掃き取ることができるのである。
【００３３】
［第３の実施の形態］
図６は、第３の実施の形態の原稿シート搬送部の読取ガラス周辺の構成を説明する拡大断面図、図７は第３の実施の形態のパネルヒータ付きのガイド板の構成を説明する斜視図、図８（ａ）及び図８（ｂ）はパネルヒータ付きのガイド板の使用例を説明する斜視図である。
【００３４】
第３の実施の形態は、第１の実施の形態の原稿シート搬送部１０Ａのレジストローラ対１５と読取前ローラ対１６の間に配置されるガイド板の一方を、パネルヒータ付きのガイド板に置き換えたものである。その他の構成は第１の実施の形態の構成と変わらないので、同一部材には同一符号を付して詳細な説明は省略する。
【００３５】
図６を参照してパネルヒータ付きガイド板２４の構成を説明する。パネルヒータ付きガイド板２４は、通常のガイド板２４ｐの外側（原稿シートＤに接触する面と反対側）に、通紙方向と直交する方向に複数（図示の例では５枚）のパネルヒータ２４ａを装着したものである。パネルヒータ２４ａは、図示しない温度制御装置を介して通電され、パネルヒータ２４ａを装着したガイド板２４ｐの原稿シートＤ側の表面を所定の温度に維持するように構成されている。
【００３６】
このとき、図８（ａ）及び（ｂ）に示すように、原稿シートＤの幅に応じて加熱するパネルヒータ２４ａを選択して通電するようにすることで、消費電力の無駄を排除するとよい。即ち、図８（ａ）は原稿シートＤの幅が狭い時に中央のパネルヒータ２４ａを選択して通電する様子を示しており、図８（ａ）は原稿シートＤの幅が広い時に全てのパネルヒータ２４ａを選択して通電する様子を示している。
【００３７】
パネルヒータ付きガイド板２４を原稿シートＤの表面が通過する側に配置することで、原稿シートＤの表面を加熱して表面の水分を蒸発させ、含水率を低下させる。
【００３８】
含水率の低い原稿シートＤから発生した紙粉は水分が少ないため、読取ガラス３１上に落下した紙粉等Ｚはさらさらしている。従って、前記した第１の実施の形態の場合と同様に、読取ガラス３１上に落下した紙粉等Ｚは原稿シートＤの後端が段差部１８を通過するとき、原稿シートＤの後端で容易に掃き取ることができる（図３（ｂ）参照）。
【００３９】
前記した第１の実施の形態では、原稿シートＤの含水率が高いと、読取ガラス３１上に落下した紙粉も含水率が高いため、原稿シートＤの後端で掃き取ることができない場合があるが、第３の実施の形態では原稿シートＤの表面を加熱して表面の水分を蒸発させ、含水率を低下させるので、発生する紙粉も水分が少なくなり、原稿シートＤの後端で容易に掃き取ることができるのである。
【００４０】
［第４の実施の形態］
図９は、第４の実施の形態の原稿シート搬送部と読取ガラス周辺の構成を説明する拡大断面図である。第４の実施の形態の原稿シート搬送部は、図１に示す原稿シート搬送部１０Ａに原稿シート反転装置が付加されたものであり、この他、レジストローラには内部にヒータが装着されたレジストローラが使用される。
【００４１】
また、図１０は第４の実施の形態における加熱された原稿シートＤの状態を説明する図で、図１０（ａ）はヒートローラによる原稿シートＤの加熱を示す図、図１０（ｂ）は加熱された原稿シートＤがカールした状態を示す図、図１０（ｃ）はカールした原稿シートＤによる読取ガラス３１上に落下した紙粉の掃き取りの様子を示す図である。
【００４２】
図９を参照して、第４の実施の形態の原稿シート搬送部２０Ａの構成を説明する。第４の実施の形態の原稿シート搬送部２０Ａは、図１に示す原稿シート搬送部１０Ａに、原稿シート反転装置が付加されたものであるから、図１に示す原稿シート搬送部１０Ａと同一部材には同一符号を付しておく。
【００４３】
原稿シート搬送部２０Ａは、給紙トレイ１１の原稿シート搬送方向（矢印ａ方向）の先に、ピックアップローラ１２が配置されており、その先には給紙ローラ１３と捌きローラ１４とが接触配置されている。接触配置された給紙ローラ１３と捌きローラ１４の、原稿シート搬送方向下流側には、搬送経路に沿ってヒータ付きレジストローラ２５ａ及びレジストローラ２５ｂ、読取前ローラ対１６、読取前センサ１７が配置されており、その先には、画像読取部１０Ｂの読取ガラス３１が配置されている。
【００４４】
また、読取ガラス３１の上には段差シート１８ａが配置されて段差部１８が形成され、読取ガラス３１の原稿シート搬送方向下流側には、すくい上げガイド１９、読取後ローラ対２０、排紙ローラ対２１、排紙トレイ２２が配置されている。段差部１８は、先に第１乃至第３の実施の形態で説明した段差部１８と同じである。
【００４５】
図９において、排紙ローラ対２１の左側には原稿シート反転装置が配置されており、原稿シート反転装置は、排紙ローラ対２１の左側から読取前ローラ対１６に向かう反転搬送路が配置されており、反転搬送路上には切換爪２８と、ヒータ付きレジストローラ２６ａ及びレジストローラ２６ｂが配置されている。
【００４６】
ヒータ付きレジストローラ２５ａ及びヒータ付きレジストローラ２６ａは、処理する原稿シートＤの幅よりも長く構成されており、図示しない温度制御装置を介してヒータランプに通電され、レジストローラ２５ａ及び２６ａの表面を所定の温度に維持するように構成されているから、処理する原稿シートＤを全面にわたって加熱することができる。
【００４７】
図示しない画像形成装置の制御装置から出力された給紙指令に応じて、ピックアップローラ１２が給紙トレイ１１上に載置された原稿シートＤに接触して、原稿シートＤは給紙ローラ１３と捌きローラ１４とに向けて搬送され、ここで１枚づつに捌かれた原稿シートＤの先端はヒータ付きレジストローラ２５ａとレジストローラ２５ｂのニップ部に当接して原稿シートＤの傾きが補正されると共に加熱された後、読取前ローラ対１６により画像読取部１０Ｂの読取ガラス３１の上に搬送される。
【００４８】
読取ガラス３１上の原稿シートＤは、原稿シート搬送方向である矢印ａ方向に搬送移動されるが、この原稿シートＤの移動中に、画像読取部１０Ｂの走査光学系３５（図１参照）により原稿シートＤ上の第１面の画像が読み取られる。
【００４９】
第１面の画像が読み取られた原稿シートＤは、すくい上げガイド１９、読取後ローラ対２０を経て排紙ローラ対２１により排紙トレイ２２方向に移動するが、原稿シートＤの後端が切換爪２８を通過すると排紙ローラ対２１は逆転を開始し、原稿シートＤの後端を先頭にして反転搬送路を搬送され、ヒータ付きレジストローラ２６ａ及びレジストローラ２６ｂのニップ部に当接して原稿シートＤの傾きが補正されると共に加熱された後、読取前ローラ対１６により、原稿シートＤの第２面が画像読取部１０Ｂの読取ガラス３１の上に来るように搬送される。
【００５０】
読取ガラス３１上の原稿シートＤは、原稿シート搬送方向である矢印ａ方向に搬送移動されるが、この原稿シートＤの移動中に、画像読取部１０Ｂの走査光学系３５（図１参照）により原稿シートＤ上の第２面の画像が読み取られる。
【００５１】
第２面の画像が読み取られた原稿シートＤは、すくい上げガイド１９、読取後ローラ対２０、排紙ローラ対２１を経て排紙トレイ２２に排出される。
【００５２】
図１０（ａ）乃至図１０（ｃ）を参照して、加熱された原稿シートＤの状態と、読取ガラス３１上に落下した紙粉等Ｚの掃き取りの様子を説明する。なお、図１０（ａ）乃至図１０（ｃ）において、原稿シートＤの表面の黒線のある面は画像面Ｄａを示す。
【００５３】
図１０（ａ）は、原稿シートＤがヒータ付きレジストローラ２５ａとレジストローラ２５ｂを通過するときの状態であって、原稿シートＤの第１面である画像面Ｄａが加熱される。加熱された原稿シートＤがヒータ付きレジストローラ２５ａとレジストローラ２５ｂを通過すると図１０（ｂ）に示す状態となり、加熱により画像面Ｄａの含水率が低下して収縮し、原稿シートＤは画像面Ｄａを内側にしてカールする。
【００５４】
カールした原稿シートＤが読取ガラス３１上を通過して画像が読み取られるが、原稿シートＤの後端が段差部１８を通過すると、カールしている原稿シートＤの後端が読取ガラス３１上に強く接触し、読取ガラス３１上に落下した紙粉等Ｚの掃き取り、その効果は、カールしていない原稿シートＤの場合よりも向上し、大きな効果が得られる。
【００５５】
反転搬送路を通過する原稿シートＤは、原稿シートＤの第２面である画像面がヒータ付きレジストローラ２６ａとレジストローラ２６ｂにより加熱され、原稿シートＤの第２面である画像面の含水率が低下して収縮し、原稿シートＤは画像面を内側にしてカールするから、先と同様に読取ガラス３１上に落下した紙粉等Ｚの掃き取り効果が得られる。
【産業上の利用可能性】
【００５６】
この発明は、電子複写機やその複合機などに付設される画像読取装置に関し、特に自動的に原稿を原稿ガラス上に給送する流し取り方式の画像読取装置であって、良好な読取ガラス上に落下した紙粉等の掃き取り効果が得られる構成を備えている。
【図面の簡単な説明】
【００５７】
【図１】この発明の実施の形態の画像読取装置の構成の概略を説明する断面図。
【図２】第１の実施の形態の原稿シート搬送部と画像読取部の読取ガラス周辺の構成を説明する拡大断面図。
【図３】第１の実施の形態の原稿シート搬送部の動作状態を説明する図。
【図４】第１の実施の形態の原稿シート搬送部と画像読取部の読取ガラス周辺の構成を説明する拡大断面図。
【図５】第２の実施の形態のヒータを内蔵したレジストローラの構成を説明する斜視図。
【図６】第３の実施の形態の原稿シート搬送部と画像読取部の読取ガラス周辺の構成を説明する拡大断面図。
【図７】第３の実施の形態のパネルヒータ付きのガイド板の構成を説明する斜視図。
【図８】第３の実施の形態のパネルヒータ付きのガイド板の使用例を説明する斜視図。
【図９】第４の実施の形態の原稿シート搬送部と画像読取部の読取ガラス周辺の構成を説明する拡大断面図。
【図１０】第４の実施の形態における加熱された原稿シートの状態を説明する図。
【符号の説明】
【００５８】
１０  画像読取装置
１０Ａ、２０Ａ  原稿シート搬送部
１０Ｂ  画像読取部
１１  給紙トレイ
１２  ピックアップローラ
１３  給紙ローラ
１４  捌きローラ
１５  レジストローラ対
１５ａ  ヒータ付きレジストローラ
１５ｂ  レジストローラ
１５ａ１、１５ａ２  ベアリング
１５ａ３  ヒータランプ
１６  読取前ローラ対
１７  読取前センサ
１８  段差部
１８ａ  段差シート
１９  すくい上げガイド
２０  読取後ローラ対
２１  排紙ローラ対
２２  排紙トレイ
２４  パネルヒータ付きガイド板
２４ａ  パネルヒータ
２４ｐ  ガイド板
２５ａ、２６ａ  ヒータ付きレジストローラ
２５ｂ、２６ｂ  レジストローラ
２８  切換爪
３１  読取ガラス
３２  手置き原稿シート読取ガラス
３５  走査光学系
３６  露光ランプ
３７  第１ミラー
３８  第２ミラー
３９  第３ミラー
４０  結像レンズ
４１  ＣＣＤセンサ
【図１】
2008301170.tif 000003
【図２】
2008301170.tif 000004
【図３】
2008301170.tif 000005
【図４】
2008301170.tif 000006
【図５】
2008301170.tif 000007
【図６】
2008301170.tif 000008
【図７】
2008301170.tif 000009
【図８】
2008301170.tif 000010
【図９】
2008301170.tif 000011
【図１０】
2008301170.tif 000012